(57)【要約】【課題】音質をより向上させたパチンコ機（弾球遊技機）の音響装置を提供する。【解決手段】本発明に係るパチンコ機の音響装置６０は、遊技盤を保持する前枠２と、前枠２に固設されるとともに遊技の状況に応じて効果音を発生させるスピーカ６１とを備えて構成されたパチンコ機において、前枠２において前枠２の裏面側に突出するように形成され、スピーカ６１の表面側を露出させつつスピーカ６１の裏面側を囲んで収容するスピーカ収容部７３を備え、スピーカ６１は、振動により効果音を発生させるコーン紙６２と、コーン紙６２をコーン紙６２の裏面側から保持するスピーカフレーム６３とを有し、スピーカフレーム６３に、コーン紙６２の裏面側を露出させるように開口した露出部６５が形成されており、スピーカ収容部７３における露出部６５の近傍に、スピーカ収容部７３内で生じた音を放音させる開口部７５が形成される。【選択図】図４
2007260135.tif 000002
【特許請求の範囲】
【請求項１】
遊技盤を保持する枠部材と、前記枠部材に固設されるとともに遊技の状況に応じて効果音を発生させるスピーカとを備えて構成された弾球遊技機において、
前記枠部材において前記枠部材の裏面側に突出するように形成され、前記スピーカの表面側を露出させつつ前記スピーカの裏面側を囲んで収容するスピーカ収容部を備え、
前記スピーカは、振動により前記効果音を発生させる振動板と、前記振動板を前記振動板の裏面側から保持する保持部材とを有し、
前記保持部材に、前記振動板の裏面側を露出させるように開口した露出部が形成されており、
前記スピーカ収容部における前記露出部の近傍に、前記スピーカ収容部内で生じた音を放音させる開口部が形成されることを特徴とする弾球遊技機の音響装置。
【請求項２】
前記スピーカと電気的に接続されるケーブルが前記開口部を通過するように配線されることを特徴とする請求項１に記載の弾球遊技機の音響装置。
【発明の詳細な説明】
【技術分野】
【０００１】
本発明は、遊技盤を保持する枠部材と、遊技の状況に応じて効果音を発生させるスピーカとを備えて構成された弾球遊技機に関する。
【背景技術】
【０００２】
上記のような弾球遊技機として、例えば、パチンコ機や雀球遊技機、アレンジボール機等が広く知られている。この種の遊技機の代表例とされるパチンコ機では、開閉搭載枠たる前枠に、所定のゲージ設定で遊技領域が形成された遊技盤がセット保持され、この前枠の裏面側に、裏機構盤と称される機構セット盤がヒンジ機構を介して揺動開閉可能に取り付けられている。
【０００３】
また、パチンコ機には、遊技の展開や不具合の発生状況に応じて、所定の音楽や音声等の効果音を発生させるスピーカが装備されている。パチンコ機に装備されるスピーカには、例えば、前枠において球皿の背後に位置する遊技補助盤に取り付けられるもの（例えば、特許文献１を参照）や、前枠上部に形成されたスピーカ収容部に収容されるもの等がある。
【特許文献１】特開平６−２３０９８号公報
【発明の開示】
【発明が解決しようとする課題】
【０００４】
しかしながら、スピーカが前枠上部のスピーカ収容部に収容される構成のパチンコ機では、スピーカの後部から放出される逆位相の音がスピーカ収容部内で前方に反射して、スピーカの前部から前方に放出される正位相の音と干渉する場合があり、スピーカの前方に放音される音の音質が低下してしまうという問題があった。
【０００５】
本発明は、このような問題に鑑みて成されたものであり、音質をより向上させた弾球遊技機の音響装置を提供することを目的とする。
【課題を解決するための手段】
【０００６】
このような目的達成のため、本発明に係る弾球遊技機の音響装置は、遊技盤を保持する枠部材（例えば、実施形態における前枠２）と、枠部材に固設されるとともに遊技の状況に応じて効果音を発生させるスピーカとを備えて構成された弾球遊技機（例えば、実施形態におけるパチンコ機ＰＭ）において、枠部材において枠部材の裏面側に突出するように形成され、スピーカの表面側を露出させつつスピーカの裏面側を囲んで収容するスピーカ収容部を備え、スピーカは、振動により効果音を発生させる振動板（例えば、実施形態におけるコーン紙６２）と、振動板を振動板の裏面側から保持する保持部材（例えば、実施形態におけるスピーカフレーム６３）とを有し、保持部材に、振動板の裏面側を露出させるように開口した露出部が形成されており、スピーカ収容部における露出部の近傍に、スピーカ収容部内で生じた音を放音させる開口部が形成される。
【０００７】
また、上述の発明において、スピーカと電気的に接続されるケーブルが開口部を通過するように配線されることが好ましい。
【発明の効果】
【０００８】
本発明によれば、スピーカ収容部における露出部の近傍に開口部が形成されるため、スピーカの裏面側から放出された逆位相の音は、その殆どがスピーカ収容部内で表面側に反射することなく、開口部から弾球遊技機の裏面側に向けて放音されることになる。そのため、スピーカの裏面側から放出された逆位相の音は、スピーカの表面側から放出された正位相の音と干渉することがないため、音響装置の音質をより向上させることができる。
【０００９】
また、スピーカと電気的に接続されるケーブルが開口部を通過するように配線されることで、省スペース化を図りつつ音質を向上させることが可能になる。
【発明を実施するための最良の形態】
【００１０】
以下、本発明の好ましい実施形態について図面を参照しながら説明する。本発明に係る遊技機の代表例としてパチンコ機ＰＭを図１〜図３に示している。ここで、図１はパチンコ機ＰＭの正面図、図２はパチンコ機ＰＭのガラス扉を取り外して示す正面図、そして図３はパチンコ機ＰＭの正面図である。
【００１１】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００１２】
前枠２の前面側（表面側）上部には、ガラス扉５が前方に横開き開閉及び着脱可能に取り付けられ、施錠装置４を利用して常には前枠２の前面（表面）を覆う閉止状態に保持される。図２に示すように、ガラス扉５の背後に位置する前枠上部には、遊技盤１０を着脱可能に収容する収容部２１が設けられており、この収容部２１に立設姿勢で係止保持された遊技盤１０がガラス扉５を通して視認されるようになっている。
【００１３】
遊技盤１０は、所定板厚の積層合板の表面にセルを貼り付けてルーター加工した化粧板を基板とし、円弧状のレール（図示せず）等に囲まれて略円形状の遊技領域ＰＡ（図１を参照）が形成される。詳細な図示を省略するが、遊技領域ＰＡには、多数本の遊技釘や風車（図示せず）とともに各種入賞装置（図示せず）等の遊技構成部品が取り付けられている。
【００１４】
前枠２の前面（表面）における上記ガラス扉５の下側には、遊技球を貯留する上球皿６が取り付けられており、この上球皿６の下側には下球皿７および発射ハンドル８が取り付けられている。また、図示省略するが、上球皿６に前面側が覆われた前枠２の下部領域には遊技補助盤（図示せず）と称される補助機構部が形成されており、この遊技補助盤には、遊技盤１０の遊技領域ＰＡ内に遊技球を発射する遊技球発射装置（図示せず）等が設けられている。
【００１５】
前枠２の背面側（裏面側）上部には、図３に示すように、上部裏機構盤３０が前枠２の後方へ揺動開閉可能に取り付けられ、常には前枠２の背面上部を覆う閉鎖状態に保持される。上部裏機構盤３０には、遊技球を貯留するとともに貯留した遊技球を整列させて流下させる球貯留タンク３５、球圧を軽減して遊技球を下方に流下させるＳ字レール３６、遊技領域ＰＡでの入賞状態等に基づいて遊技球を払い出す球払出装置３７等の遊技球の処理機構が設けられている。
【００１６】
前枠２の背面側（裏面側）における左下部には、左下部裏機構盤３２が前枠２の後方へ揺動開閉可能に取り付けられ、常には前枠２の背面左下部を覆う閉鎖状態に保持される。一方、前枠２の背面側（裏面側）における右下部には、左下部裏機構盤３２と対称的に右下部裏機構盤３３が前枠２の後方へ揺動開閉可能に取り付けられ、常には前枠２の背面右下部を覆う閉鎖状態に保持される。左下部裏機構盤３２および右下部裏機構盤３３には、各制御装置および電子部品等に電力を供給する電源ユニット３８や、パチンコ機ＰＭの作動を統括的に制御する主制御装置３９等が取り付けられており、これらが図示しないコネクタケーブルで接続されてパチンコ機ＰＭが作動可能に構成される。
【００１７】
パチンコ機ＰＭは、ガラス扉５、上下の裏機構盤３０〜３２等が閉鎖保持された状態で遊技に供され、上球皿６に遊技球を貯留させて発射ハンドル８を回動操作することにより遊技が開始される。発射ハンドル８が回動操作されると、上球皿６に貯留された遊技球は、上球皿６の背面側に位置する遊技球発射装置により１球ずつ遊技領域ＰＡに打ち出され、パチンコゲームが展開される。
【００１８】
以上のように概略構成されるパチンコ機ＰＭにおいて、前枠２（収容部２１）の左右上部には、遊技の展開や不具合の発生状況に応じて様々な音色の音楽や音声等の効果音を発生させるスピーカを有した音響装置（以下、パチンコ機ＰＭの正面視左側の音響装置を音響装置５０、正面視右側の音響装置を音響装置６０とする）が配設されている。そこで、図４および図５を追加参照しながら、本実施形態の音響装置５０，６０について説明する。ここで、図４は音響装置の平断面図、図５は音響装置の背面図である。なお、本実施形態においては、音響装置５０，６０の構造は左右で同じ構造であるため、パチンコ機ＰＭの左右上部に一対配設される音響装置のうち、右側の音響装置６０を例にその構造を説明する。
【００１９】
音響装置６０は、スピーカ６１と、スピーカ６１が取り付けられるスピーカベース７１と、スピーカ６１の裏面側（後部）を囲んで収容するスピーカ収容部７３と、ガラス扉５に一体形成されたダクト８１とを有して構成される。スピーカ６１は、いわゆるコーン型のスピーカユニットであり、振動により効果音を発生させる振動板としてのコーン紙６２と、このコーン紙６２を裏面側から保持してユニットの骨組みをなすスピーカフレーム６３と、コーン紙６２を駆動するための電力が供給されるヴォイスコイル（図示せず）と、スピーカフレーム６３内に内蔵されたマグネット（図示せず）等から構成される。
【００２０】
スピーカフレーム６３の前部には、コーンエッジの外周を取り巻くように平坦なフランジ部６４が形成され、このフランジ部６４にスピーカ６１を固定するための固定孔（図示せず）が数箇所形成されている。また、スピーカフレーム６３の側部には、コーン紙６２の裏面側を露出させるように開口した露出部６５が形成されている。
【００２１】
スピーカベース７１は前枠２（収容部２１）の左右上部に設けられ、スピーカベース７１の中央部に、スピーカ６１の後部（裏面側）が挿通可能なスピーカ取付孔７２が形成される。スピーカ取付孔７２はスピーカベース７１の前後において略円形に開口しており、スピーカ６１の後部（裏面側）がこのスピーカ取付孔７２に挿通された状態で、スピーカ取付孔７２の外側に位置するスピーカベース７１の前面側（表面側）でスピーカ６１のフランジ部６４が支持されるようになっている。
【００２２】
このように、スピーカ６１の後部（裏面側）をスピーカ取付孔７２に挿通させて、フランジ部６４をスピーカベース７１の前面側（表面側）に支持させ、固定ネジ６９をフランジ部６４の固定孔（図示せず）に通過させてスピーカベース７１にネジ固定することにより、コーン前面（表面）を前枠２の前面側に露出させた状態でスピーカ６１がスピーカベース７１に取り付けられる。なお、スピーカベース７１に取り付けられたスピーカ６１の後部（裏面側）は、スピーカ収容部７３内に収められた状態になっている。
【００２３】
スピーカ収容部７３は、スピーカベース７１が形成される前枠２（収容部２１）の左右上部において、後方（裏面側）へ突出する略円筒状に形成され、スピーカ６１の後部（裏面側）を囲んで収容可能に構成される。なお、スピーカ収容部７３の内部には、スピーカ収容部７３の内周側壁面に囲まれて後放音室７４が形成される。また、露出部６５の近傍に位置するスピーカ収容部７３の側部には、複数の開口部７５が前後方向へ延びるように形成される。そして、スピーカ６１の後部（コーン紙６２の裏面側）から露出部６５を介して後方に放出された逆位相の音は、後放音室７４内を伝播して後方に導かれ、開口部７５からパチンコ機ＰＭの後方に放音されるようになっている。なお、スピーカ６１と電気的に接続されるケーブル６６は、開口部７５を通過するように配線される。
【００２４】
ガラス扉５の前面上部における左右２箇所に、略円形の出口開口５ａが形成されており、出口開口５ａが形成されるガラス扉５の背面側（裏面側）には、略円筒状に後方に突出する左右一対のダクト８１，８１が形成されている。ダクト８１の内径はスピーカ６１におけるフランジ部６４の外径よりもやや大きくなっており、ガラス扉５を前枠２に対して閉じた状態では、ダクト８１の後端部がフランジ部６４の周囲を取り囲むようになっている。このため、ガラス扉５を閉鎖するとスピーカ６１の前方にダクト８１の内周側壁面に囲まれた前放音室８２が形成され、スピーカ６１の前部（コーン紙６２の表面側）から前方に放出された正位相の音は、前放音室８２内を伝播して前方に導かれ、出口開口５ａからパチンコ機ＰＭの前方に放音されるようになっている。
【００２５】
このように構成されるパチンコ機ＰＭにおいて、スピーカ６１の前部（コーン紙６２の表面側）から前方に放出された正位相の音は、前放音室８２内を伝播して前方に導かれ、出口開口５ａからパチンコ機ＰＭの前方に放音される。一方、スピーカ６１の後部（コーン紙６２の裏面側）から露出部６５を介して後方に放出された逆位相の音は、後放音室７４内を伝播して後方に導かれ、開口部７５からパチンコ機ＰＭの後方に放音される。
【００２６】
このとき、本実施形態におけるパチンコ機ＰＭの音響装置５０，６０によれば、スピーカ収容部７３における露出部６５の近傍に開口部７５が形成されるため、スピーカ６１の後部（裏面側）から放出された逆位相の音は、その殆どがスピーカ収容部２４内で前方（表面側）に反射することなく、開口部７５からパチンコ機ＰＭの後方（裏面側）に向けて放音されることになる。そのため、スピーカ６１の後部（裏面側）から放出された逆位相の音は、スピーカ６１の前部（表面側）から放出された正位相の音と干渉することがないため、パチンコ機ＰＭの前方（表面側）に放出された正位相の音（特に、ステレオ音声）が歪むことなくクリアな音質で再生され、音響装置の音質を向上させることが可能になる。
【００２７】
また、スピーカ６１と電気的に接続されるケーブル６６がスピーカ収容部７３の開口部７５を通過するように配線されることで、省スペース化を図りつつ音質を向上させることが可能になる。
【００２８】
なお、上述の実施形態において、本発明に係る弾球遊技機としてパチンコ機ＰＭを例に説明しているが、これに限られるものではなく、例えば、アレンジボール機や雀球遊技機等の弾球遊技機に対しても本発明を適用することができる。
【図面の簡単な説明】
【００２９】
【図１】パチンコ機の正面図である。
【図２】ガラス扉を取り外したパチンコ機の正面図である。
【図３】パチンコ機の正面図である。
【図４】音響装置の平断面図である。
【図５】音響装置の背面図である。
【符号の説明】
【００３０】
ＰＭ  パチンコ機（遊技機）
ＰＡ  遊技領域
２  前枠（枠部材）
１０  遊技盤
２１  収容部
５０  左側の音響装置
６０  右側の音響装置
６１  スピーカ
６２  コーン紙（振動版）
６３  スピーカフレーム（保持部材）
６５  露出部
６６  ケーブル
７３  スピーカ収容部
７５  開口部
【図１】
2007260135.tif 000003
【図２】
2007260135.tif 000004
【図３】
2007260135.tif 000005
【図４】
2007260135.tif 000006
【図５】
2007260135.tif 000007